(57)【要約】【課題】患者が医用画像データを記録した記録メディアを持参した際に、当該記録メディアの医用画像データがその患者本人のものであるか否かを確認することを可能とするとともに、オペレータによる患者情報の入力の手間を低減する。【解決手段】本発明に係る医事会計端末１によれば、記録メディアＭがセットされると、記録メディアＭに記録されている医用画像データの患者情報が読み出され、表示部１３に読み出された患者情報をオペレータが確認するための確認画面１３１が表示される。当該確認画面１３１から「確認」ボタン１３１ｂが押下されると、表示された患者情報が患者情報ＤＢ１５１に登録される。【選択図】図３
2009015701.tif 000002
【特許請求の範囲】
【請求項１】
来院した患者の患者情報を蓄積記憶する患者情報記憶手段と、
医用画像データ及び当該医用画像データの患者情報が記録された可搬型記録媒体から前記患者情報を読み出す読出手段と、
前記読出手段により読み出された患者情報を表示する表示手段と、
前記表示手段に表示された患者情報の登録指示を入力するための登録指示手段と、
前記登録指示手段から登録指示が入力された際に、前記表示された患者情報を前記患者情報記憶手段に登録する登録手段と、
を備える患者情報入力装置。
【請求項２】
前記表示手段に表示された患者情報の一部をユーザ操作に応じて修正する修正手段を備え、
前記登録手段は、前記修正手段により修正があった場合は、前記修正手段により修正された患者情報を前記患者情報記憶手段に登録する請求項１に記載の患者情報入力装置。
【請求項３】
前記可搬型記録媒体を持参した患者の健康保険証又は診察券に記録された情報を読み取る読取手段と、
前記読出手段により読み出された患者情報と前記読取手段により読み取られた前記患者情報の各項目に対応する情報を比較照合する比較照合手段と、
を備え、
前記表示手段は、前記読出手段により読み出された患者情報を表示する際に、前記読取手段により読み取られた前記患者情報に対応する情報及び前記比較照合手段による比較照合結果を併せて表示する請求項１に記載の患者情報入力装置。
【請求項４】
前記登録手段は、前記比較照合手段による照合の結果、前記読出手段により読み出された患者情報と前記読取手段により読み取られた情報とが一致した項目については、前記読出手段により読み出されて表示された患者情報を登録し、一致しなかった項目については、前記読取手段により読み取られた情報を登録する請求項３に記載の患者情報入力装置。
【発明の詳細な説明】
【技術分野】
【０００１】
本発明は、患者情報入力装置に関する。
【背景技術】
【０００２】
従来から、医用画像を医療施設間で相互利用する画像連携が行われている。近年、医用画像のデジタル化が進み、画像連携はフィルムによる連携から医用画像データによる連携に移りつつある。医用画像データによる連携の発展に伴い、医療施設間の医用画像データの移送を通信ネットワークを介して行う場合と、ＭＯ（Magnet Optical）ディスクやＣＤ−Ｒ（Compact Disk Recordable）等の各種可搬型記録媒体（以下、記録メディアという）を患者自身が持参して行う方法がある。記録メディアのデータ構造は、ＩＨＥ（Integrating the Healthcare Enterprise）及びＩＨＥ−ＪのＰＤＩ（Portable Data for Imaging）によって定められ、標準化が図られている。
【０００３】
外来患者が診断を受ける場合、医療施設では次の手順で患者情報の登録が行われる。まず、受付窓口のオペレータは、外来患者が持参したＰＤＩ準拠の記録メディアとともに健康保険証（以下、保険証という）を受領し、患者に初診票への記入を依頼する。次いで、オペレータは保険証、初診票に記載事項を目視で参照しつつ、医事会計システムや電子カルテシステムに患者情報を入力し登録を行う。この場合オペレータの入力は手作業である。患者情報としては、患者氏名、生年月日、年齢、性別等が挙げられる。受領した記録メディアは診察室に移送され、医師の診断に供される。
【０００４】
一方、連携が進んでいる系列病院などでは、患者情報が記録されたＩＣカードや磁気カードからなる共通の診察券や患者カードを発行している場合があり、外来新規患者の患者情報を患者カード等から読み取って登録可能である。例えば、特許文献１には、患者の基本情報や診療記録をＩＣカードに格納し、患者が他の診療機関に行った場合でも過去の診療記録を遠隔で取得し参照できる広域型病院情報システムが記載されている。
【特許文献１】特許第３６８８８２２号公報
【発明の開示】
【発明が解決しようとする課題】
【０００５】
ところで、患者が持参した記録メディアは、従来、受付からそのまま診察室へ移送され、医師の画像診断に使用される。ＰＤＩにより記録メディアに記録された医用画像データは、ＤＩＣＯＭ（Digital Imaging and Communication in Medicine）形式のファイルで記録されているため、医用画像データに関する付帯情報、例えば、患者情報や検査（撮影）日、検査部位等の検査情報等が含まれているが、電子カルテによっては付帯情報を表示しないシステムもある。そのため、医師は渡された記録メディアに記録された医用画像データが本人のものであるか否かを判別しにくい場合があった。
【０００６】
また、受付において紙媒体の保険証や初診票をもとに手入力で患者情報を入力することはオペレータの作業負担が大きく、入力ミスが発生する可能性があった。特許文献１に記載のように、ＩＣカード等の患者カードに記載された患者情報を読み取るシステムでは、このようなオペレータの作業は低減され、入力ミスの可能性も小さいが、患者カードは相互に運用可能な施設間でしか共有できないという問題があった。
【０００７】
本発明の課題は、患者が医用画像データを記録した記録メディアを持参した際に、当該記録メディアの医用画像データがその患者本人のものであるか否かを確認することを可能とするとともに、オペレータによる患者情報の入力の手間を低減することである。
【課題を解決するための手段】
【０００８】
上記課題を解決するため、請求項１に記載の発明の患者情報入力装置は、
来院した患者の患者情報を蓄積記憶する患者情報記憶手段と、
医用画像データ及び当該医用画像データの患者情報が記録された可搬型記録媒体から前記患者情報を読み出す読出手段と、
前記読出手段により読み出された患者情報を表示する表示手段と、
前記表示手段に表示された患者情報の登録指示を入力するための登録指示手段と、
前記登録指示手段から登録指示が入力された際に、前記表示された患者情報を前記患者情報記憶手段に登録する登録手段と、
を備える。
【０００９】
請求項２に記載の発明は、請求項１に記載の発明において、
前記表示手段に表示された患者情報の一部をユーザ操作に応じて修正する修正手段を備え、
前記登録手段は、前記修正手段により修正があった場合は、前記修正手段により修正された患者情報を前記患者情報記憶手段に登録する。
【００１０】
請求項３に記載の発明は、請求項１に記載の発明において、
前記可搬型記録媒体を持参した患者の健康保険証又は診察券に記録された情報を読み取る読取手段と、
前記読出手段により読み出された患者情報と前記読取手段により読み取られた前記患者情報の各項目に対応する情報を比較照合する比較照合手段と、
を備え、
前記表示手段は、前記読出手段により読み出された患者情報を表示する際に、前記読取手段により読み取られた前記患者情報に対応する情報及び前記比較照合手段による比較照合結果を併せて表示する。
【００１１】
請求項４に記載の発明は、請求項３に記載の発明において、
前記登録手段は、前記比較照合手段による照合の結果、前記読出手段により読み出された患者情報と前記読取手段により読み取られた情報とが一致した項目については、前記読出手段により読み出されて表示された患者情報を登録し、一致しなかった項目については、前記読取手段により読み取られた情報を登録する。
【発明の効果】
【００１２】
請求項１に記載の発明によれば、記録メディアに記録された医用画像データの患者情報を読み出して表示手段に表示するので、表示された患者情報をオペレータが参照し、記録メディアに記録された医用画像データがその記録メディアを持参した患者本人のものであるか否かを確認することが可能となる。また、記録メディアから読み出された患者情報は、登録指示手段により登録指示を入力するだけで患者情報記憶手段に登録することができるので、オペレータによる患者情報の手入力の手間を低減し、入力ミスを防止することができる。
【００１３】
請求項２に記載の発明によれば、記録メディアに記録された医用画像データの一部に誤りがあった場合に、修正を行って、修正された患者情報を患者情報記憶手段に登録することができる。
【００１４】
請求項３に記載の発明によれば、記録メディアに記録された医用画像データの患者情報を当該記録メディアを持参した患者の保険証や診察券の情報と比較照合し、結果を表示手段に表示するので、記録メディアに記録された医用画像データがその記録メディアを持参した患者本人のものであるか否かをオペレータが容易に確認することが可能となる。また、記録メディアから読み出された患者情報は、登録指示手段により登録指示を入力するだけで患者情報記憶手段に登録することができるので、オペレータによる患者情報の手入力の手間を低減し、入力ミスを防止することができる。
【００１５】
請求項４に記載の発明によれば、記録メディアに記録された患者情報と保険証や診察券の対応する情報とが一致しない項目については保険証や診察券の情報を患者情報記憶手段に登録するので、記録メディアに記録された医用画像データの一部に誤りがあった場合にも正しい患者情報を登録することができる。
【発明を実施するための最良の形態】
【００１６】
［第１の実施の形態］
まず、本発明の第１の実施の形態における患者情報入力装置について説明する。なお、本実施の形態及び第２の実施の形態においては、本発明を医事会計端末に適用した場合を例にとり説明するが、患者情報入力装置は、病院等の医療施設において患者情報を入力する装置であればよく、例えば、電子カルテ装置等であってもよい。
【００１７】
本実施の形態における医事会計端末１は、図１に示すように、医療施設（病院Ａとする）に設置される。医事会計端末１は、他の医療施設（病院Ｂとする）において医用画像データが書き込まれた記録メディアＭがセットされると、記録メディアＭから医用画像データに含まれる患者情報を読み出して表示し、記録メディアＭに記録された医用画像データと患者との整合性を確認可能とするとともに、読み出された患者情報を登録する機能を有する。
【００１８】
なお、記録メディアＭには、ＩＨＥ及びＩＨＥ−ＪのＰＤＩによって定められたデータ構造で医用画像データ等が書き込まれるものとする。即ち、医用画像データは、実データ部と付帯情報を書き込んだヘッダ部を有するＤＩＣＯＭ形式のファイルとして書き込まれるものとする。付帯情報は、医用画像データに関する情報であり、例えば、患者情報及び検査情報を含む。患者情報は、患者ＩＤ、患者氏名、生年月日、性別等の複数項目の情報を含んで構成される。検査情報は、検査ＩＤ、検査日、検査部位等の複数項目の情報を含んで構成されている。
【００１９】
まず、医事会計端末１の構成を説明する。
図２に、本実施の形態における医事会計端末１の機能構成例を示す。図１に示すように、医事会計端末１は、制御部１１、操作部１２、表示部１３、通信部１４、記憶部１５、メディアドライブ１６等を備えて構成され、各部はバス１７により接続されている。
【００２０】
制御部１１は、ＣＰＵ（Central Processing Unit）、ＲＯＭ（Read Only Memory）、ＲＡＭ（Random Access Memory）等により構成される。制御部１１のＣＰＵは、操作部１２の操作に応じて、ＲＯＭに記憶されているシステムプログラムや、患者情報登録処理プログラム、会計計算処理プログラムを始めとする各種処理プログラムを読み出してＲＡＭ内に展開し、展開されたプログラムに従って医事会計端末１各部の動作を集中制御し、後述する患者情報登録処理を始めとする各種処理を実行する。
【００２１】
操作部１２は、カーソルキー、数字入力キー、及び各種機能キー等を備えたキーボードと、マウス等のポインティングデバイスを備えて構成され、キーボードに対するキー操作やマウス操作により入力された指示信号を制御部１１に出力する。
【００２２】
表示部１３は、ＬＣＤ（Liquid Crystal Display）やＣＲＴ（Cathode Ray Tube）等のモニタにより構成され、制御部１１から入力される表示信号の指示に従って、操作部１２からの入力指示やデータ等を表示する。
【００２３】
通信部１４は、ＬＡＮアダプタ、ルータ、ＴＡ（Terminal Adapter）等を備え、ＬＡＮ（Local Area Network）等の通信ネットワークに接続された各装置とデータの送受信を行う。
【００２４】
記憶部１５はハードディスク等の記憶装置で構成される。記憶部１５には患者情報ＤＢ（Data Base）１５１が格納されている。患者情報ＤＢ１５１は、来院した患者の患者ＩＤ、患者氏名（漢字）、患者氏名（カナ）、生年月日、性別、コメント、患者病歴、アレルギー、保険証番号、家族情報等の患者情報が蓄積記憶されている。
【００２５】
メディアドライブ１６は、ＣＤ−ＲやＤＶＤ−Ｒ（Digital Versatile Disk Recordable）、ＭＯディスク等の可搬型の記録メディアＭに対しデータの読み出し又は書き込みを行う装置である。
【００２６】
次に、医事会計端末１を備えた病院Ａにおける処理の流れについて説明する。
上記の医事会計端末１を有する病院Ａにおいては、他の医療施設、例えば、病院Ｂにおいて医用画像データが記録された記録メディアＭを持参した新規の患者が来院すると、以下（１）〜（４）の流れで処理が行われる。
【００２７】
（１）受付のオペレータは、患者から保険証及び記録メディアＭを受領し、患者に初診票への記入を依頼する。
（２）初診票が提出されると、受付のオペレータは、記録メディアＭを医事会計端末１のメディアドライブ１６にセットし、患者登録処理（図３参照）を実行し、記録メディアＭが持参した患者本人のものであるか否かを確認するとともに、患者情報を患者情報ＤＢ１５１に登録する。
（３）患者登録処理の実行後、オペレータは記録メディアＭを診察室に移送するとともに、記録メディアＭが患者本人のものであるか否かの確認結果を医師に通知する。
（４）医師は、患者の診察を行い、必要であれば検査等を実施する。受付において患者と記録メディアＭが患者本人のものと確認された場合、診察室の画像表示装置２（図１参照）で記録メディアＭを読み込んで患者の医用画像データを表示し、画像診断を行う。
（５）診察等が終了すると、実施した診察、診断、検査の内容をオペレータが医事会計端末１に入力し会計計算処理を行う。
【００２８】
次に、操作部１２からの指示に応じて医事会計端末１の制御部１１により実行される患者登録処理について説明する。図３に、制御部１１において実行される患者登録処理のフローを示す。
【００２９】
メディアドライブ１６に記録メディアＭがセットされると（ステップＳ１）、記録メディアＭに記録されている医用画像データの付帯情報に含まれる患者情報（即ち、医用画像データの患者情報）がメディアドライブ１６により読み出され（ステップＳ２）、表示部１３に患者情報の確認画面１３１が表示される（ステップＳ３）。
【００３０】
図４に、確認画面１３１の一例を示す。図４に示すように、確認画面１３１は、記録メディアＭから読み出された患者情報の表示欄１３１ａ、「確認」ボタン１３１ｂ、「修正」ボタン１３１ｃ、「キャンセル」ボタン１３１ｄが表示されている。「確認」ボタン１３１ｂは、表示された患者情報の患者情報ＤＢ１５１への登録指示を入力するためのボタンである。「修正」ボタン１３１ｃは、表示された患者情報を修正する指示を入力するためのボタンである。「キャンセル」ボタン１３１ｄは、表示された患者情報の登録をキャンセルするとともに、処理を終了する指示を入力するためのボタンである。オペレータは、当該確認画面１３１に表示された患者情報の各項目の内容と、記録メディアＭを持参した患者の保険証や初診票の対応する項目の情報の内容とを比較照合し、一致しているか否かを確認する。対応する項目とは、例えば、患者情報と同一項目又は、同一対象を指す項目（例えば、患者氏名（カナ）と被保険者名（カナ）等）である。そして、比較の結果、両者が全て一致し、表示された患者情報での登録が可能であると確認できた場合に、「確認」ボタン１３１ｂを押下する。比較の結果、患者情報の一部が保険証等と一致しなかった場合は、「修正」ボタン１３１ｃを押下して修正する。比較の結果、保険証と全く異なる患者情報である場合は、「キャンセル」ボタン１３１ｄを押下する。
【００３１】
操作部１２により確認画面１３１の「確認」ボタン１３１ｂが押下されると（ステップＳ４；ＹＥＳ）、表示された患者情報が患者情報ＤＢ１５１に登録され（ステップＳ１１）、本処理は終了する。
【００３２】
一方、操作部１２により確認画面１３１の「修正ボタン」１３１ｃが押下されると（ステップＳ４；ＮＯ、ステップＳ５；ＹＥＳ）、表示部１３に修正画面（図示せず）が表示される（ステップＳ６）。
【００３３】
修正画面は、ユーザによる操作部１２の操作に応じて患者情報を修正するための画面である。修正画面は、記録メディアＭから読み出された患者情報が表示されている点では確認画面１３１と同様であるが、操作部１２のマウス等により修正対象の項目にカーソルを合わせて表示された内容を修正入力することができるようになっている。また、修正画面には「ＯＫ」ボタンが表示されており、操作部１２から「ＯＫ」ボタンを押下することにより、修正入力された内容による患者情報の修正を指示することができる。
【００３４】
操作部１２により修正画面から修正内容が入力され（ステップＳ７）、「ＯＫ」ボタンが押下されると（ステップＳ８；ＹＥＳ）、読み出された患者情報が入力された内容により修正され（ステップＳ９）、処理はステップＳ４に戻る。即ち、確認画面１３１の表示に戻る。なお、確認画面１３１においては、修正後の内容が表示され、確認画面１３１から「確認」ボタン１３１ｂが押下されると、表示された（即ち、修正後の）患者情報が患者情報ＤＢ１５１に登録され、本処理は終了する。
【００３５】
一方、操作部１２により確認画面１３１の「キャンセル」ボタン１３１ｄが押下されると（ステップＳ５；ＮＯ、ステップＳ１０；ＹＥＳ）、本処理は終了する。
【００３６】
以上説明したように、医事会計端末１によれば、記録メディアＭがセットされると、記録メディアＭに記録されている医用画像データの患者情報が読み出され、表示部１３に読み出された患者情報をオペレータが確認するための確認画面１３１が表示される。当該確認画面１３１から「確認」ボタン１３１ｂが押下されると、表示された患者情報が患者情報ＤＢ１５１に登録される。
【００３７】
従って、オペレータは、記録メディアＭから読み出された医用画像データの患者情報の内容と、記録メディアＭを持参した患者の保険証や初診票の対応する項目の内容とを目視で比較照合し、一致しているか否かを確認することができるので、当該記録メディアＭに書き込まれた医用画像データが当該記録メディアＭを持参した患者本人のものであるか否かを確認することが可能となる。その結果、記録メディアＭに記録された医用画像データと患者との整合性を確保することが可能となる。
【００３８】
また、記録メディアＭから読み出された患者情報は、確認画面１３１から「確認」ボタン１３１ｂを押下するだけで患者情報ＤＢ１５１に登録することができるので、オペレータは、保険証や初診票などを見ながら患者情報をキーボード等から入力する必要がなくなり、オペレータによる患者情報の入力の手間を低減することができる。また、入力ミスも防止することができる。
【００３９】
また、記録メディアＭから読み出された患者情報は、修正して登録することができるので、読み出された患者情報の一部項目が誤っていた場合にも、その項目のみを修正し、「確認」ボタン１３１ｂを押下することで、患者情報を容易に登録することができる。
【００４０】
［第２の実施の形態］
次に、本発明の第２の実施の形態について説明する。
図５に、第２の実施の形態における医事会計端末１の機能構成例を示す。第２の実施の形態における医事会計端末１は、例えば、保険証番号、被保険者氏名、生年月日、性別等の被保険者情報が記録されたＩＣカードの保険証を読み取るカードリーダ１８を備えている。
また、本実施の形態において、制御部１１は、図６に示す患者登録処理（第１の実施の形態と区別するため、患者登録処理Ｂとする）を実行するためのプログラムを備えている。
その他の医事会計端末１の構成は、第１の実施の形態で説明したのと同様であるので説明を省略する。また、医事会計端末１を備えた病院Ａにおける処理の流れについても、患者登録処理の内容が異なるほか、第１の実施の形態で説明したのと同様であるので、以下、患者登録処理Ｂについて説明する。
【００４１】
図６に、制御部１１において実行される患者登録処理Ｂのフローを示す。
メディアドライブ１６に記録メディアＭがセットされると（ステップＳ２１）、メディアドライブ１６により記録メディアＭに記録されている患者情報が読み出される（ステップＳ２２）。
【００４２】
次いで、カードリーダ１８により記録メディアＭを持参した患者の保険証が読み取られると（ステップＳ２３）、記録メディアＭから読み出された患者情報の各項目の情報と、保険証から読み取られた情報のうち前記患者情報の項目に対応する項目の情報がそれぞれ比較照合される（ステップＳ２４）。なお、患者情報の各項目に対応する保険証の項目は、予め定められている。そして、記録メディアＭから読み出された患者情報及び保険証から読み取られた対応する項目の情報を比較照合結果とともに表示する確認画面１３２が表示部１３に表示される（ステップＳ２５）。
【００４３】
図７に、確認画面１３２の一例を示す。図７に示すように、確認画面１３２は、記録メディアＭから読み出された患者情報の表示欄１３２ａ、保険証から読み取られた情報の表示欄１３２ｂ、比較結果表示欄１３２ｃ、「確認」ボタン１３２ｄ、及び「キャンセル」ボタン１３２ｅが表示されている。患者情報の表示欄１３２ａと保険証から読み取られた情報の表示欄１３２ｂは、対応する項目の情報が並べて表示されている。「確認」ボタン１３２ｄは、表示された患者情報の患者情報ＤＢ１５１への登録を指示するためのボタンである。「キャンセル」ボタン１３２ｅは、表示された患者情報の登録をキャンセルするとともに、処理を終了することを指示するボタンである。比較結果表示欄１３２ｃには、不一致の項目がない場合には、「不一致の項目はありません。このまま登録しますがよろしいですか」等のメッセージが表示される。不一致の項目がある場合には、「○○○（不一致の項目名）が一致しません。「確認」ボタン又は「キャンセル」ボタンを押してください」等のメッセージが表示される。なお、不一致の項目については、色をつける等により識別可能に表示される。
【００４４】
オペレータは、当該確認画面１３２に表示された患者情報と保険証の情報及び比較照合結果を参照し、記録メディアＭに記録された医用画像データが当該記録メディアＭを持参した患者本人のものであるか否かを確認する。そして、患者本人のものであることが確認できた場合に、「確認」ボタン１３２ｄを押下する。記録メディアＭから読み出された患者情報の患者氏名や性別が保険証と異なる等、記録メディアＭに書き込まれた医用画像データが当該記録メディアＭを持参した本人のものではないと判断した場合は、「キャンセル」ボタン１３２ｅを押下する。
【００４５】
操作部１２により確認画面１３２の「確認」ボタン１３１ｄが押下されると（ステップＳ２６；ＹＥＳ）、ステップＳ２４における比較照合の結果、不一致の項目があったか否かが判断され、不一致の項目がなかったと判断された場合（ステップＳ２７；ＮＯ）、記録メディアＭから読み出された患者情報が患者情報ＤＢ１５１に登録され（ステップＳ２８）、本処理は終了する。
【００４６】
ステップＳ２４における比較照合の結果、不一致の項目があったと判断された場合（ステップＳ２７；ＹＥＳ）、不一致の項目については保険証の情報が患者情報ＤＢ１５１に登録され、一致する項目については記録メディアＭから読み出された情報が患者情報ＤＢ１５１に登録され（ステップＳ２９）、本処理は終了する。
【００４７】
一方、操作部１２により確認画面１３２の「キャンセル」ボタン１３２ｅが押下されると（ステップＳ２６；ＮＯ、ステップＳ３０；ＹＥＳ）、本処理は終了する。
【００４８】
以上説明したように、医事会計端末１によれば、記録メディアＭがセットされると、記録メディアＭに記録されている医用画像データの患者情報が読み出され、読み出された患者情報の各項目の情報とカードリーダ１８から読み取られた記録メディアＭを持参した患者の保険証の対応する項目の情報とがそれぞれ比較照合される。そして、記録メディアＭから読み出された患者情報、保険証から読み出された情報、及び比較照合結果が確認画面１３２に表示される。
【００４９】
従って、オペレータは、当該記録メディアＭに記録されている医用画像データが当該記録メディアＭを持参した患者本人のものであるか否かを容易に確認することが可能となる。その結果、その結果、記録メディアＭに記録された医用画像データと患者との整合性を確保すること可能となる。
【００５０】
また、記録メディアＭから読み出された患者情報は、確認画面１３１から「確認」ボタン１３２ｄを押下するだけで患者情報ＤＢ１５１に登録することができるので、オペレータは、保険証や初診票などを見ながら患者情報をキーボード等から入力する必要がなくなり、オペレータによる患者情報の入力の手間を低減することができる。また、入力ミスも防止することができる。
【００５１】
また、記録メディアＭから読み出された患者情報と保険証から読み取られた情報が一致しない項目については、保険証から読み取られた情報が優先して登録されるので、記録メディアＭの医用画像データの患者情報に入力ミスがあっても保険証に基づき正しい情報を登録することが可能となる。
【００５２】
なお、上記各実施の形態における記述は、本発明に係る医事会計端末１の好適な一例であり、これに限定されるものではない。
【００５３】
例えば、上記第２の実施の形態においては、記録メディアＭを持参した患者の保険証に記録された被保険者情報をカードリーダ１８により読み取って、記録メディアＭの患者情報と比較照合したが、患者情報と比較照合する情報は、保険証の情報に限定されない。例えば、系列病院との間で、ＩＣカードや磁気カードに患者情報が記録された共通の診察券（患者カード）を発行している医療施設では、図６のステップＳ２３において、ＩＣカードや磁気カードを読み取るカードリーダで診察券を読み取って、記録メディアＭの患者情報と当該診察券に記録された患者情報とを比較照合するようにしてもよい。
【００５４】
また、ステップＳ２３において保険証や診察券に記録された情報を読み取る読取手段としては、ＩＣカード又は磁気カードに記録された情報を読み取るカードリーダに限定されない。例えば、保険証や診察券の表面に患者情報に対応する情報がバーコードや二次元バーコードが記録されている場合、ステップＳ２３においては、保険証や診察券の情報をバーコードリーダで光学的に読み取ることとしてもよい。また、保険証や診察券の表面に記録された文字情報をＯＣＲ（Optical Character Reader）で読み取ることとしてもよい。
【００５５】
また、上記第１の実施の形態で患者情報の一部が修正された場合、修正された内容ついての情報を記録メディアＭに追記で書き込むようにしてもよい。これにより、更に他の病院で記録メディアＭに記録された患者情報を使用する場合、正しい患者情報を認識することができる。同様に、第２の実施の形態で患者情報の一部が保険証の対応する項目の情報と一致しなかった場合、一致しなかった旨及び保険証の対応する項目の情報を記録メディアＭに追記で書き込むようにしてもよい。
【００５６】
その他、医事会計端末１の細部構成及び細部動作に関しても本発明の趣旨を逸脱することのない範囲で適宜変更可能である。
【図面の簡単な説明】
【００５７】
【図１】医療施設間の記録メディアを用いた画像連携を模式的に示す図である。
【図２】本発明の実施の形態における医事会計端末の機能的構成を示すブロック図である。
【図３】図２の制御部により実行される患者情報登録処理を示すフローチャートである。
【図４】図２の表示部に表示される確認画面の一例を示す図である。
【図５】第２の実施の形態における医事会計端末の機能的構成を示すブロック図である。
【図６】図５の制御部により実行される患者情報登録処理Ｂを示すフローチャートである。
【図７】図５の表示部に表示される確認画面の一例を示す図である。
【符号の説明】
【００５８】
１  医事会計端末
１１  制御部
１２  操作部
１３  表示部
１４  通信部
１５  記憶部
１５１  患者情報ＤＢ
１６  メディアドライブ
１７  バス
１８  カードリーダ
２  画像表示装置 
【図１】
2009015701.tif 000003
【図２】
2009015701.tif 000004
【図３】
2009015701.tif 000005
【図４】
2009015701.tif 000006
【図５】
2009015701.tif 000007
【図６】
2009015701.tif 000008
【図７】
2009015701.tif 000009